【手続補正書】
【提出日】平成17年9月9日(2005.9.9)
【手続補正１】
【補正対象書類名】明細書
【補正対象項目名】請求項２７
【補正方法】変更
【補正の内容】
【請求項２７】  親局との間で双方向光通信を行うための子局であって、
前記親局との間は、１本の光ファイバを介して接続されており、
前記親局からは、前記１本の光ファイバを介して下り光信号が伝送され、前記親局に対しては、前記１本の光ファイバを介して上り光信号が伝送され、
与えられた電気信号を前記上り光信号に変換する電気／光変換器と、
与えられた前記下り光信号を電気信号に変換する光／電気変換器と、
前記１本の光ファイバと前記電気／光変換器および前記光／電気変換器との間に配置され、当該電気／光変換器から出力される前記上り光信号を前記１本の光ファイバに入力し、前記１本の光ファイバ中を伝送されてきた前記下り光信号を前記光／電気変換器に入力する光交換素子と、
与えられた電気信号の振幅を調整して出力する信号レベル調整回路と、
前記信号レベル調整回路が出力した電気信号の位相を調整して出力する遅延調整回路と、
前記遅延調整回路が出力する電気信号と前記光／電気変換器が出力する電気信号とを合成する合成手段とを含む、子局。
【手続補正２】
【補正対象書類名】明細書
【補正対象項目名】００６１
【補正方法】変更
【補正の内容】
【００６１】
第２７の発明は、親局との間で双方向光通信を行うための子局であって、
親局との間は、１本の光ファイバを介して接続されており、
親局からは、１本の光ファイバを介して下り光信号が伝送され、親局に対しては、１本の光ファイバを介して上り光信号が伝送され、
与えられた電気信号を上り光信号に変換する電気／光変換器と、
与えられた下り光信号を電気信号に変換する光／電気変換器と、
１本の光ファイバと電気／光変換器および光／電気変換器との間に配置され、当該電気／光変換器から出力される上り光信号を１本の光ファイバに入力し、１本の光ファイバ中を伝送されてきた下り光信号を光／電気変換器に入力する光交換素子と、
与えられた電気信号の振幅を調整して出力する信号レベル調整回路と、
信号レベル調整回路が出力した電気信号の位相を調整して出力する遅延調整回路と、
遅延調整回路が出力する電気信号と光／電気変換器が出力する電気信号とを合成する合成手段とを含む。
【手続補正３】
【補正対象書類名】明細書
【補正対象項目名】００９４
【補正方法】変更
【補正の内容】
【００９４】
電気／光変換器４０３は、入力される下り電気信号で光源の光信号を強度変調し、強度変調された光信号を光受動器４０５に入力する。光受動器４０５は、電気／光変換器４０３からの光信号を光ファイバ２０１ａに入力する。光ファイバ２０１ａを伝送する光信号は、光分岐器２０２ａで２分岐され、光ファイバ２０１ｂおよび２０１ｃに入力する。光ファイバ２０１ｃに入力した光信号は、光分岐器２０２ｂで２分岐され、光ファイバ２０１ｄおよび２０１ｅに入力する。
【手続補正４】
【補正対象書類名】明細書
【補正対象項目名】００９９
【補正方法】変更
【補正の内容】
【００９９】
子局５００ｂおよび５００ｃが携帯端末６００からの電波を受信したときの動作は、子局５００ａの場合と同様である。
【手続補正５】
【補正対象書類名】明細書
【補正対象項目名】０１６５
【補正方法】変更
【補正の内容】
【０１６５】
分配器５５６は、低雑音アンプ５０７が出力した上り電気信号を二分配し、電気／光変換器５０３および信号レベル調整回路５５４に入力する。信号レベル調整回路５５４は、予め設定されている振幅値に基づいて、分配器５５６からの上り電気信号を減衰あるいは増幅し、遅延調整回路５５５に入力する。当該振幅値は、光／電気変換器５０４が出力する下り電気信号のＳ／Ｎ比が良くなるように予め設定しておく。なお、システム構築後、振幅値を微調整することもできる。
【手続補正６】
【補正対象書類名】明細書
【補正対象項目名】０１８４
【補正方法】変更
【補正の内容】
【０１８４】
子局５７０は、光送受信部５７２と、共用器５０１と、パワーアンプ５０６と、低雑音アンプ５０７と、アンテナ５０８とを含む。光送受信部５７２は、ミキサ５７１と、電気／光変換器５０３と、光／電気変換器５０４と、光受動器５０５とを含む。
【手続補正７】
【補正対象書類名】明細書
【補正対象項目名】０１９５
【補正方法】変更
【補正の内容】
【０１９５】
光送受信部４０２ｂに入力した下り電気信号は、下り光信号に変換されて光ファイバ２８１ｂに入力され、光分岐器２８２ｂを介して子局５００ｂに入り、下り電気信号に再変換された後、電波として空間に放射される。
【手続補正８】
【補正対象書類名】明細書
【補正対象項目名】０２０６
【補正方法】変更
【補正の内容】
【０２０６】
光伝送路２００は、芯数が１本の光ファイバからなる。
光伝送路２００は、親局４９０のＷＤＭフィルタ４９５と子局５９０ａの光アドドロップ器７００ａとの間を結ぶ光ファイバ２０１ａと、光アドドロップ器７００ａと子局５９０ｂの光アドドロップ器７００ｂとの間を結ぶ光ファイバ２０１ｂと、光アドドロップ器７００ｂと子局５９０ｃの光アドドロップ器７００ｃとの間を結ぶ光ファイバ２０１ｃと、光アドドロップ器７００ｃの端子Ｂに接続された光ファイバ２０１ｄから構成される。光ファイバ２０１ａ、２０１ｂ、２０１ｃ、２０１ｄは、それぞれ１本の光ファイバである。
【手続補正９】
【補正対象書類名】明細書
【補正対象項目名】０２２１
【補正方法】変更
【補正の内容】
【０２２１】
図１４において、光アドドロップ器は、二つの波長合分波器７２１と波長合分波器７２２とを二段に接続した構成である。波長合分波器７２１は、端子ａから入力される波長λ１〜λｎの光信号の内、波長λｉの光信号を端子ｃから出力し、波長λｉ以外の光信号を端子ｂから出力する。また、波長合分波器７２１は、端子ｂから入力される波長λｉ以外の光信号と端子ｃから入力される波長λｉの光信号とを合波して、端子ａから出力する。ここで、波長合分波器７２１は、誘電体多層膜フィルタ７２１ａから構成されるバルク型の波長合分波器である。誘電体多層膜フィルタ７２１ａは、波長λｉの光のみを透過し、それ以外の波長の光を反射する。
【手続補正１０】
【補正対象書類名】明細書
【補正対象項目名】０２２２
【補正方法】変更
【補正の内容】
【０２２２】
波長合分波器７２２は、端子ｄから入力される波長λ１〜λｎ（λｉを除く）の光信号の内、波長λｊ（ｊ≠ｉ）の光信号を端子ｆから出力し、波長λｊ以外の光信号を端子ｅから出力する。また、波長合分波器７２２は、端子ｅから入力される波長λｊ以外の光信号と端子ｆから入力される波長λｊの光信号とを合波して、端子ｄから出力する。ここで、波長合分波器７２２は、誘電体多層膜フィルタ７２２ａから構成されるバルク型の波長合分波器である。誘電体多層膜フィルタ７２２ａは、波長λｊの光のみを透過し、それ以外の波長の光を反射する。なお、図１４において、誘電体多層膜フィルタ７２１ａ、７２２ａや光伝送路の配置については、模式的に示しているものであり、実際の配置とは異なる。実際は、透過する光信号および反射する光信号が、光伝送路に結合するように、誘電体多層膜フィルタ７２１ａ、７２２ａが配置されている。
【手続補正１１】
【補正対象書類名】明細書
【補正対象項目名】０２２３
【補正方法】変更
【補正の内容】
【０２２３】
図１４に示す光アドドロップにおいて、λｉをλ２に、λｊをλ１に割り当てれば、図１３のシステムにおける光アドドロップ器７００ａを提供することができる。また、λｉをλ４、λｊをλ３に割り当てれば、光アドドロップ器７００ｂを提供することができ、λｉをλ６、λｊをλ５に割り当てれば、光アドドロップ器７００ｃを提供することができる。なお、λｉをλ１に、λｊをλ２に割り当てても光アドドロップ器７００ａを構成することができる。このことは、λ３〜λ６についても同様である。
【手続補正１２】
【補正対象書類名】明細書
【補正対象項目名】０２４３
【補正方法】変更
【補正の内容】
【０２４３】
（第１１の実施形態）
図１６は、本発明の第１１の実施形態に係る双方向光伝送システムにおける光アドドロップ器７４０の構成を示すブロック図である。第１１の実施形態に係る双方向光伝送システムは、図１３に示す双方向光伝送システムの構成のうち、光アドドロップ器７００ａを光アドドロップ器７４０に置き換えたものである。
【手続補正１３】
【補正対象書類名】明細書
【補正対象項目名】０２５４
【補正方法】変更
【補正の内容】
【０２５４】
（第１２の実施形態）
図１７は、本発明の第１２の実施形態に係る双方向光伝送システムにおける光アドドロップ器７５０の構成を示すブロック図である。第１１の実施形態に係る双方向光伝送システムは、図１３に示す双方向光伝送システムの構成のうち、光アドドロップ器７００ａを光アドドロップ器７５０に置き換えたものである。
【手続補正１４】
【補正対象書類名】図面
【補正対象項目名】図４
【補正方法】変更
【補正の内容】
【図４】
2003324393.tif 000001